(57)【特許請求の範囲】
【請求項１】
電子機器本体と、該電子機器本体の前面側を蓋する如く、その両側面側においてねじ止めされるフロントパネルとを有する電子機器において、
上記電子機器本体に上記フロントパネルをその両面側でねじ止めするときのねじを、上記電子機器をラックに装填して使用するときは、頭部の周面にローレットが形成されて、手動で回動可能な大型ねじを使用すると共に、上記電子機器をラックに装填しないときは、ドライバを用いて回動させることのできる小型ねじを使用するようにしたことを特徴とする電子機器。
【請求項２】
請求項１に記載の電子機器において、
上記大型ねじを使用するときは、上記電子機器本体を上記ラックに取り付けるための部材を隠すためのカバーを、上記大型ねじによって、上記フロントパネルの両側面に取り付けるようにしたことを特徴とする電子機器。
【請求項３】
請求項１に記載の電子機器において、
記録媒体駆動装置と、複数の記録媒体をそれぞれ保持する保持手段を備えた回動テーブルと、上記回動テーブルの上記保持手段及び上記記録媒体駆動装置間における記録媒体の搬送を行う搬送機とが、上記電子機器本体の筐体内に収容されてなることを特徴とする電子機器。
【請求項４】
請求項２に記載の電子機器において、
記録媒体駆動装置と、複数の記録媒体をそれぞれ保持する保持手段を備えた回動テーブルと、上記回動テーブルの上記保持手段及び上記記録媒体駆動装置間における記録媒体の搬送を行う搬送機とが、上記電子機器本体の筐体内に収容されてなることを特徴とする電子機器。
【請求項５】
請求項３に記載の電子機器において、
上記記録媒体を、テープカセットにて構成したことを特徴とする電子機器。
【請求項６】
請求項４に記載の電子機器において、
上記記録媒体は、テープカセットにて構成したことを特徴とする電子機器。
【発明の詳細な説明】
【０００１】
【発明の属する技術分野】
本発明は、電子機器本体と、その電子機器本体の前面側を蓋する如く、その両側面側においてねじ止めされるフロントパネルとを有する電子機器に関する。
【０００２】
【従来の技術】
データストリーマとしては、テープカセットが使用されることが多いが、大量のデータを書き込んだり、読出したりする場合には、かかるデータストリーマとしてのテープカセットを複数設け、これらテープカセットを選択して、テープカセット駆動装置に装填して、データの書込み及び読出しを行うようにしたライブラリー装置は、種々提案されている。
【０００３】
かかるライブラリー装置は、単体で使用する他に、複数のライブラリー装置を積み重ねたり、ラックに取り付けて使用する場合がある。
【０００４】
単体のライブラリー装置において、例えば、その内蔵するカセット駆動装置を交換する場合は、ライブラリー本体に、両側面においてねじ止めされているフロントパネルを、そのねじをドライバーによって緩めることによって、外すことになる。
【０００５】
【発明が解決しようとする課題】
複数のライブラリー装置をラックに取付けて使用する場合に、フロントパネルを外す場合は、フロントパネルの両側面のねじをドライバーで外すことは困難である。
【０００６】
かかる点に鑑み、本発明は、電子機器本体と、その電子機器本体の前面側を蓋する如く、その両側面側においてねじ止めされるフロントパネルとを有する電子機器において、かかる電子機器をラックに取り付けて使用するときでも、電子機器本体に対するフロントパネルの着脱を容易に行うことのできるものを提案しようとするものである。
【０００７】
【課題を解決するための手段】
第１の発明は、電子機器本体と、その電子機器本体の前面側を蓋する如く、その両側面側においてねじ止めされるフロントパネルとを有する電子機器において、電子機器本体にフロントパネルをその両面側でねじ止めするときのねじを、電子機器をラックに装填して使用するときは、頭部の周面にローレットが形成されて、手動で回動可能な大型ねじを使用すると共に、電子機器をラックに装填しないときは、ドライバを用いて回動させることのできる小型ねじを使用するようにした電子機器である。
【０００８】
第２の発明は、第１の発明の電子機器において、大型ねじを使用するときは、電子機器本体をラックに取り付けるための部材を隠すためのカバーを、大型ねじによって、フロントパネルの両側面に取り付けるようにした電子機器である。
【０００９】
第３及び第４の発明は、第１及び第２の発明の電子機器において、記録媒体駆動装置と、複数の記録媒体をそれぞれ保持する保持手段を備えた回動テーブルと、回動テーブルの保持手段及び記録媒体駆動装置間における記録媒体の搬送を行う搬送機とが、電子機器本体の筐体内に収容されてなる電子機器である。
【００１０】
第５及び第６の発明は、第３及び第４の発明の電子機器において、記録媒体を、テープカセットにて構成した電子機器である。
【００１１】
【発明の実施の形態】
以下に、先ず、本発明の実施の形態の例である電子機器としてのライブラリー装置の全体的構成を、図３及び図４を参照して説明する。図３は、ライブラリーを示す斜視図、図４はライブラリー本体を斜め下方から見た斜視図である。このライブラリーは、複数のテープカセット（ストリーマ）を保持し得、その各テープカセットの磁気テープに対し、データの記録及び再生を行い得る記録再生装置である。
【００１２】
１は、ライブラリー本体を示し、３０は、このライブラリー本体１を蓋する天板（カバー）である。このライブラリー本体１は、複数台を重ねたり、複数台をラックに装填することができ、１台のライブラリー本体１を、基本ユニットと称する。以下に、ライブラリー本体１の構成について、図３及び図４を参照して説明する。
【００１３】
２は筐体（ハウジング）を示し、一体に形成された底板２ａ、背面板２ｂ、側板２ｃと、前面を覆うフロントパネル２ｄと、側面の開口部を覆う補助板２ｅとから構成される。
【００１４】
図４において、３、３は、２台のカセット駆動装置をそれぞれ示す。この２台のカセット駆動装置３、３は、筐体２の底板２ａ上において、左側における前後方向の中間部に設けられている。図３に矢印Ｆで示す面が、ライブラリー本体１の前面であり、図４から分かるように、カセット駆動装置３、３におけるテープカセットの挿入口は、カセット駆動装置３、３の背面側に設けられている。
【００１５】
図３及び図４において、４は回動可能なカセット棚を示し、カセット駆動装置３の上の段であって、筐体２の前面側に配置されている。円形の支持部及び載置部で構成される回動テーブル５が、筐体２に対し、固定軸３６の周囲に回動自在に設けられる。この回動テーブル５上には、テープカセット７を収容するカセット保持部６が上下２段に一体に結合され、一体となったものが円周方向に沿って、例えば、８個結合されている。このカセット保持部６は、いずれも放射方向の外側へ向かって開口している。尚、回動テーブル５は、モータＭによって、歯車機構を介して駆動される。又、この回動テーブル５を所定回動角位置で止めるための、位置センサが設けられ、又、モータＭは、ＣＰＵ等によって、その回転及び停止が制御される。
【００１６】
回動テーブル５上の各カセット保持部６から、遠心力によって、テープカセット７が落下しないように、筐体２の底面２ａ上には、円を描くように、２個のフェンス９、９が、取付金具８を介して取付けられている。これらフェンス９、９と、各カセット保持部６内のテープカセット７との間隙は頗る狭い。図３から分かるように、筐体２の前面の挿脱口１２を蓋しているシャッター１３を横方向にスライドさせて、前面の挿脱口１２を開け、その前面の挿脱口１２を通じて、人手によって、テープカセット７を内部に挿入し、カセット棚４の背面側から搬送機１５により下方のカセット駆動装置３に装填するために、カセット棚４の前面側及び背面側にはフェンス９が存在しないようになされ、外ゲート１０及び内ゲート１１を構成している。外ゲート１０と対応する筐体２の前面のフロントパネル２ｄに、挿脱口１２が設けられている。挿脱口１２からは、上下に重ねられた２個のカセット保持部６内のいずれかのテープカセット７を取り出すことができる。フロントパネル２ｄの挿脱口１２の横側には、ＬＣＤ表示部（液晶表示部）１４が設けられている。ＬＣＤ表示部１４の下側には、複数の操作釦１８が設けられている。フロントパネル２ｄの左右の下側には、エアーフィルタを有するエアー吸い込み口２０、１９が設けられている。これに関連して、筐体２の背面板２ｂには、内部エアーを排出するファン２１が設けれている。
【００１７】
搬送機１５は、カセット棚４とカセット駆動装置３、３との間で、テープカセット７を移送するために設けられるので、これらの背面側の左に配置されている。搬送機１５は、図４に示す如く、昇降台（移動台）１６と、昇降台１６を上下方向へ案内する２つのラックピラー（ガイド手段）１７、１７とで構成される。
【００１８】
次に、図１及び図２を参照して、ライブラリー装置をラックに装填して使用する場合について説明する。先ず、図２を参照して、ラックに、基本ユニットとしてのライブラリー装置を、１台だけ取り付けた（装填した）状態を説明する。図２Ａは、ラックに取付けられたライブラリー装置の正面図、図２Ｂは、ラックに取付けられたライブラリー装置の横断面図である。
【００１９】
７０は、ライブラリー装置を全体として示す。このライブラリー装置７０を、ライブラリー本体７１と、その前面側に取り付けられるフロントパネル（図３のフロントパネル２ｄに対応）とにて構成する。尚、ここでいうライブラリー本体７１は、図３におけるライブラリー本体１を天板３０で蓋したものから、フロントパネル７２（２ｄ）を取り外したものをいう。
【００２０】
フロントパネル７２において、７３はＬＣＤ表示装置（図３のＬＣＤ装置１４に対応する）、７４はＬＣＤ表示装置の下側の複数の操作釦（図３の操作釦装置１４に対応する）、７５はエアーフィルタを有するエアー吸い込み口（図３のエアー吸い込み口１９に対応する）である。
【００２１】
８５、８５は、前方の左右のラック、８６、８６は、ラック８５、８５のライブラリー装置７０を取り付けるための孔である。８７、８７は、後方の左右のラックである。８８、８８は左右のラック取付け金具で、ラック８５、８７間及び８５、８７間に取付けされている。そして、ライブラリー本体７１の、フロントパネル７２に近接する両側面にそれぞれ取付けられたＬ字形のラック固定金具７９、７９を、ねじ８４、８４によって、ラック８５、８５に取り付ける。８９、８９は、ラック取付け金具８８、８８にそれぞれ取り付けられたレール、９０、９０は、ライブラリー本体７１の両側面に取り付けられ、レール８９、８９に摺動する如く案内されるレールである。
【００２２】
次に、図２と共に、図１を参照して、フロントパネル７２の両側面に取り付けるねじ及び飾りカバーについて説明する。図１Ａは、ライブラリー装置７０をラックに取付けた（装填した）ときの、ライブラリー装置７０の要部を示す斜視図、図１Ｂは、飾りカバー７８を示す斜視図、図１Ｃは、ライブラリー装置７０を単体で使用するときのライブラリー装置７０の要部を示す斜視図である。
【００２３】
図１Ｃのように、ライブラリー装置７０をラックに装填せず、単独で使用するときは、フロントパネル７２の両側面を、ドライバーで回動可能な小型ねじ８２、８３によって、ライブラリー本体７１に取り付ける。これら小型ねじ８２、８３をドライバーで緩めて、フロントパネル７２を、ライブラリー本体７１から外せば、図４におけるカセット駆動装置３、３を交換することができる。
【００２４】
図１Ａは、図２と同様に、ライブラリー装置７１をラックに取り付けた（装填した）状態を示すが、この場合は、フロントパネル７２の両側面を、頭部の周面にローレットが形成されて、手動で回動可能な大型ねじ７６、７７によって、ライブラリー本体７１に取り付ける。大型ねじ７６、７７は手動で回動し得るように構成されている。これら大型ねじ７６、７７を手動で緩めて、フロントパネル７２を、ライブラリー本体７１から外せば、図４におけるカセット駆動装置３、３を交換することができる。
【００２５】
この場合、ライブラリー装置７０を、ラックに取り付けるための部材、例えば、図２のねじ８４を隠すための飾りカバー７８を、大型ねじ７６、７７によって、フロントパネル７２の両側面に取り付ける。この飾りカバー７８は、直方体状の箱体の６面のうち、１面を除去して開放部となし、その開放部はラック固定金具７９の面側となる。飾りカバー７８の開放部とは反対側の面は、フロントパネル７２の湾曲面の延長面と同一面となるように、湾曲面形状を有している。飾りカバー７８の、フロントパネル７２の側面と接する面には、大型ねじ７６、７７のねじ部の根元が挿入される細長の切欠き８０、８１が形成されている。飾りカバー７８の、切欠き８０、８１が形成されている面とは反対側の面には、飾りカバー７８を人の手の指を掛けるための大きな切欠き８５が形成されている。
【００２６】
フロントパネル７２（２ｄ）の両側面には、それぞれ２本のねじ孔２ｈ（図４参照）が穿設され、そのねじ孔２ｈに、上述の小型ねじ８２、８３又は大型ねじ７６、７７を螺入して、ライブラリー本体７１にフロントパネル７２（２ｄ）を取り付けるようにしている。
【００２７】
飾りカバー７８は、フロントパネル７２（２ｄ）の両側面のねじ孔２ｈに、大型ねじ７６、７７をねじ込み、大型ねじ７６、７７の各頭部と、フロントパネル７２（２ｄ）の側面との間に、飾りカバー７８の板厚程度の間隙を残しておき、人の指によって飾りカバー７８を押し込むことによって、飾りカバー７８の切欠き８０、８１を、大型ねじ７６、７７のねじ部の根元に嵌合せしめて、飾りカバー７８をフロントパネル７２（２ｄ）の両側面に取り付ける。この場合、図１Ａでは、飾りカバー７８の一部が破断されて、大型ねじ７６、７７が露出されているが、実際には、これら大型ねじ７６、７７は、飾りカバー７８によって、フロントパネル７２（２ｄ）の前面側からは見えないようになされている。又、飾りカバー７８を、フロントパネル７２（２ｄ）及び大型ねじ７６、７７間から取り外すときは、飾りカバー７８の切欠き８５に人の手の指を掛けて手前に引っ張れば良い。
【００２８】
尚、飾りカバー７８は、図１に図示ものに限らず、種々変形されたものが可能である。
【００２９】
【発明の効果】
第１の発明によれば、電子機器本体と、その電子機器本体の前面側を蓋する如く、その両側面側においてねじ止めされるフロントパネルとを有する電子機器において、電子機器本体にフロントパネルをその両面側でねじ止めするときのねじを、電子機器をラックに装填して使用するときは、頭部の周面にローレットが形成されて、手動で回動可能な大型ねじを使用すると共に、電子機器をラックに装填しないときは、ドライバを用いて回動させることのできる小型ねじを使用するようにしたので、電子機器本体と、電子機器本体の前面側を蓋する如く、その両側面側においてねじ止めされるフロントパネルとを有する電子機器において、かかる電子機器をラックに取り付けて使用するときでも、電子機器本体に対するフロントパネルの着脱を容易に行うことのできる電子機器を得ることができる。
【００３０】
第２の発明によれば、第１の発明の電子機器において、大型ねじを使用するときは、電子機器本体をラックに取り付けるための部材を隠すためのカバーを、大型ねじによって、フロントパネルの両側面に取り付けるようにしたので、電子機器本体と、電子機器本体の前面側を蓋する如く、その両側面側においてねじ止めされるフロントパネルとを有する電子機器において、かかる電子機器をラックに取り付けて使用するときでも、電子機器本体に対するフロントパネルの着脱を容易に行うことができると共に、カバーによって、電子機器本体をラックに取り付けるための部材を隠すことのできる電子機器を得ることができる。
【００３１】
第３の発明によれば、第１の発明の電子機器において、記録媒体駆動装置と、複数の記録媒体をそれぞれ保持する保持手段を備えた回動テーブルと、回動テーブルの保持手段及び記録媒体駆動装置間における記録媒体の搬送を行う搬送機とが、電子機器本体の筐体内に収容されてなるので、電子機器本体と、電子機器本体の前面側を蓋する如く、その両側面側においてねじ止めされるフロントパネルとを有する電子機器において、かかる電子機器をラックに取り付けて使用するときでも、電子機器本体に対するフロントパネルの着脱を容易に行うことのできるライブラリー装置構成の電子機器を得ることができる。
【００３２】
第４の発明によれば、第２の発明の電子機器において、記録媒体駆動装置と、複数の記録媒体をそれぞれ保持する保持手段を備えた回動テーブルと、回動テーブルの保持手段及び記録媒体駆動装置間における記録媒体の搬送を行う搬送機とが、電子機器本体の筐体内に収容されてなるので、電子機器本体と、電子機器本体の前面側を蓋する如く、その両側面側においてねじ止めされるフロントパネルとを有する電子機器において、かかる電子機器をラックに取り付けて使用するときでも、電子機器本体に対するフロントパネルの着脱を容易に行うことができると共に、カバーによって、電子機器本体をラックに取り付けるための部材を隠すことのできるライブラリー装置構成の電子機器を得ることができる。
【００３３】
第３及び第４の発明においては、記録媒体として、テープカセットが可能である。
【図面の簡単な説明】
【図１】Ａ  ライブラリー装置をラックに取付けた（装填した）ときの、ライブラリー装置の要部を示す斜視図である。
Ｂ  飾りカバーを示す斜視図である。
Ｃ  ライブラリー装置単体で使用するときのライブラリー装置の要部を示す斜視図である。
【図２】Ａ  ラックに取付けられたライブラリー装置の正面図である。
Ｂ  ラックに取付けられたライブラリー装置の横断面図である。
【図３】本発明の実施の形態の電子機器を適用したライブラリー装置の例を示す斜視図である。
【図４】本発明の実施の形態の電子機器を適用したライブラリー装置の例を斜め下方から見た斜視図である。
【符号の説明】
７０  ライブラリー装置（基本ユニット）、７１ライブラリー本体、７２フロントパネル、７６、７７  大型ねじ、７８  飾りカバー、７９  ラック固定金具、８０、８１  切欠き、８２、８３  小型ねじ、８４  ねじ、８５  切欠き。
【図１】
0004665356.tif 000002
【図２】
0004665356.tif 000003
【図３】
0004665356.tif 000004
【図４】
0004665356.tif 000005